(57)【要約】【課題】記録媒体に記録されたＡＶ情報を再生して、家庭内のどこでも好きな場所で手軽に楽しむことができるＡＶ機器を提供する。【解決手段】リモコン６等のキー操作により入力されたＡＶ機器１０およびＦＭ電波を受信可能な受信機を使用する地域の情報と、記憶部２に記憶された受信機で受信可能な放送局から送信されるＦＭ放送電波の周波数を地域毎に示す情報とに基づいて、ＡＶ機器１０および受信機を使用する地域で放送電波として使われていないＦＭ電波の未使用周波数を抽出する。読み込み部７で記録媒体２０から音楽等のＡＶ情報を読み込んで信号処理部８で生成した音声信号を、トランスミッタ１１で未使用周波数のＦＭ電波に変換して送信し、受信機で受信できるようにする。【選択図】図２
2008085670.tif 000002
【特許請求の範囲】
【請求項１】
記録媒体に記録されたＡＶ（Audio-Visual）情報を読み込む読み込み手段と、前記読み込み手段で読み込んだ情報を処理して再生信号を生成する信号処理手段と、を内蔵した据え置き型のＡＶ機器において、
前記信号処理手段で生成した前記再生信号のうち音声信号を、ＦＭ（Frequency Modulation）電波に変換して一般的な家庭を取り囲む範囲内へ送信するトランスミッタと、
放送局から送信される放送電波の周波数を地域毎に示す情報を記憶した記憶手段と、
当該ＡＶ機器およびＦＭ電波を受信可能な受信機を使用する地域を示す情報を入力する入力手段と、
前記各手段を制御する制御手段と、を内蔵し、
前記制御手段は、
前記入力手段で入力された前記情報と前記記憶手段に記憶された前記情報とに基づいて、当該ＡＶ機器および前記受信機を使用する地域で前記放送電波として使われていないＦＭ電波の未使用周波数を抽出し、さらに該未使用周波数の中から前記放送電波と混信することのないＦＭ電波の非混信周波数を抽出し、
前記読み込み手段で前記記録媒体から前記ＡＶ情報を読み込んで前記信号処理手段で生成した前記音声信号を、前記トランスミッタで前記非混信周波数のＦＭ電波に変換して送信しつつ該非混信周波数を表示手段に表示し、
前記未使用周波数を前記非混信周波数が他より強調されるように表示手段に表示して前記入力手段で選択可能にし、前記トランスミッタで前記音声信号を変換して送信する電波の周波数を、前記入力手段で選択された前記未使用周波数に変更することを特徴とするＡＶ機器。
【請求項２】
記録媒体に記録されたＡＶ（Audio-Visual）情報を読み込む読み込み手段と、前記読み込み手段で読み込んだ情報を処理して再生信号を生成する信号処理手段と、を内蔵したＡＶ機器において、
前記信号処理手段で生成した前記再生信号を、一般的な受信機で受信可能な電波に変換して送信するトランスミッタと、
前記受信機で受信可能な放送局から送信される放送電波の周波数を地域毎に示す情報を記憶した記憶手段と、
当該ＡＶ機器および前記受信機を使用する地域を示す情報を入力する入力手段と、
前記各手段を制御する制御手段と、を内蔵し、
前記制御手段は、前記入力手段で入力された前記情報と前記記憶手段に記憶された前記情報とに基づいて、当該ＡＶ機器および前記受信機を使用する地域で前記放送電波として使われていない前記受信機で受信可能な電波の未使用周波数を抽出し、前記読み込み手段で前記記録媒体から前記ＡＶ情報を読み込んで前記信号処理手段で生成した前記再生信号を、前記トランスミッタで前記未使用周波数の電波に変換して送信することを特徴とするＡＶ機器。
【請求項３】
請求項２に記載のＡＶ機器において、
前記制御手段は、前記未使用周波数の中から前記放送電波と混信することのない電波の非混信周波数を抽出し、前記トランスミッタで前記再生信号を前記非混信周波数の電波に変換して送信することを特徴とするＡＶ機器。
【請求項４】
請求項２または請求項３に記載のＡＶ機器において、
前記制御手段は、前記トランスミッタで前記再生信号を変換して送信する前記電波の周波数を表示手段に表示することを特徴とするＡＶ機器。
【請求項５】
請求項２ないし請求項４のいずれかに記載のＡＶ機器において、
前記制御手段は、前記未使用周波数を表示手段に表示して前記入力手段で選択可能にし、前記トランスミッタで前記再生信号を変換して送信する電波の周波数を、前記入力手段で選択された未使用周波数に変更することを特徴とするＡＶ機器。
【請求項６】
請求項５に記載のＡＶ機器において、
前記制御手段は、前記未使用周波数のうち、前記放送電波と混信することのない電波の非混信周波数を他と異なる形態で表示手段に表示することを特徴とするＡＶ機器。
【発明の詳細な説明】
【技術分野】
【０００１】
本発明は、記録媒体に記録されたＡＶ（Audio-Visual）情報を再生するＡＶ機器に関するものである。
【背景技術】
【０００２】
例えばＤＶＤ（Digital
Versatile Disc）プレーヤ等のＡＶ機器は、ＤＶＤやＣＤ（Compact Disc）等の記録媒体に記録された映像や音声といったＡＶ（Audio-Visual）情報を読み込んで再生する。この再生された映像や音声は、ＡＶ機器とケーブル等で接続されたテレビ等の表示機を通じて出力されるため、通常、家庭内の該ＡＶ機器や表示機が設置されたリビングルーム等の場所では視聴して楽しむことができるが、該ＡＶ機器や表示機から離れた台所や浴槽等の場所では視聴して楽しむことができない。
【０００３】
一方、例えば携帯型オーディオプレーヤや車載用オーディオプレーヤ等で再生された音楽等の音声をＦＭ（Frequency Modulation）電波に変換して送信するＦＭトランスミッタがある。このＦＭトランスミッタによると、オーディオプレーヤ等で再生された音声を、ＦＭ電波で飛ばして、該ＦＭ電波の到達範囲内にある手持ちのＦＭラジオやＦＭチューナ等により受信して再生し、視聴して楽しむことができる。しかし、このためには、ＦＭトランスミッタがオーディオプレーヤ等の付属品でオーディオプレーヤ等と別体である場合、オーディオプレーヤ等とは別にＦＭトランスミッタを購入し、オーディオプレーヤ等とＦＭトランスミッタとをケーブル等で接続し、ＦＭトランスミッタで送信するＦＭ電波の周波数等を設定するという煩雑な作業を行わなければならず、ユーザに負担がかかる。
【０００４】
下記の特許文献１には、車載用のナビゲーションシステム本体にＣＤ再生装置とＦＭトランスミッタとを内蔵し、ＣＤに記録された音声をＣＤ再生装置で再生して、ＦＭトランスミッタでＦＭ電波に変換して送信し、ＦＭ受信機で受信して再生することが記載されている。また、ＦＭトランスミッタで送信する電波の周波数と、放送局から送信される放送電波の周波数とが干渉した場合に、送信電波の周波数をリモコン等の操作により手動で変更できることが記載されている。しかし、特許文献１には、手動で変更する前の送信電波の周波数を如何に設定するかについては何ら記載されておらず、送信電波の周波数が放送電波の周波数と重複または近似して、両電波が混信するおそれがある。また、送信電波の周波数を放送電波の周波数と重複または近似しないように手動で変更する場合、ナビゲーションシステムの位置する地域の放送電波の周波数を新聞等で調べるという煩雑な作業を行わなければならず、ユーザに負担がかかる。
【０００５】
また、下記の特許文献２には、ハードディスク部、充電式電池、電磁誘導充電部、および無線通信部を内蔵した情報記憶装置と、パソコン、携帯電話機、ビデオ録画再生装置、またはテレビ等の家電機器とが、所定のデータ通信形式で無線通信することが記載されている。しかし、このためには、送信側と受信側の機器の両方が所定のデータ通信形式で無線通信を行える特別な機器でなければならず、該特別な送信機と受信機とを両方購入する必要があることから、ユーザに経済的負担がかかる。
【０００６】
【特許文献１】特開平９−２１６４９号公報
【特許文献２】特開２００３−１９６９６４号公報
【発明の開示】
【発明が解決しようとする課題】
【０００７】
本発明は、上述した問題点を解決するものであって、その課題とするところは、記録媒体に記録されたＡＶ情報を再生して、家庭内のどこでも好きな場所で手軽に楽しむことができるＡＶ機器を提供することにある。
【課題を解決するための手段】
【０００８】
本発明は、記録媒体に記録されたＡＶ（Audio-Visual）情報を読み込む読み込み手段と、読み込み手段で読み込んだ情報を処理して再生信号を生成する信号処理手段とを内蔵したＡＶ機器において、信号処理手段で生成した再生信号を、一般的な受信機で受信可能な電波に変換して送信するトランスミッタと、前記受信機で受信可能な放送局から送信される放送電波の周波数を地域毎に示す情報を記憶した記憶手段と、当該ＡＶ機器および前記受信機を使用する地域を示す情報を入力する入力手段と、前記各手段を制御する制御手段とを内蔵する。この構成において、制御手段は、入力手段で入力された前記情報と記憶手段に記憶された前記情報とに基づいて、当該ＡＶ機器および前記受信機を使用する地域で放送電波として使われていない前記受信機で受信可能な電波の未使用周波数を抽出し、読み込み手段で記録媒体からＡＶ情報を読み込んで信号処理手段で生成した再生信号を、トランスミッタで未使用周波数の電波に変換して送信する。
【０００９】
このようにすると、トランスミッタが他の手段とともにＡＶ機器に内蔵されていて、ユーザがＡＶ機器および手持ちの一般的な受信機を使用する地域を入力手段で入力して、記録媒体に記録されたＡＶ情報をＡＶ機器で再生することで、自動的に該ＡＶ情報に基づく再生信号がトランスミッタにより、放送局からの放送電波と重複していない未使用周波数の電波に変換されて送信される。このため、ユーザは家庭内のどこでも好きな場所で、手持ちの一般的な受信機によりトランスミッタからの送信電波を受信して、該電波から記録媒体のＡＶ情報を再生して出力することで、該ＡＶ情報を手軽に楽しむことができる。また、ユーザが従来のようにＡＶ機器とは別にトランスミッタを購入し、ＡＶ機器とトランスミッタとをケーブル等で接続し、トランスミッタの送信電波の周波数等を設定するといった煩雑な作業を行う必要がなく、ユーザの負担を大幅に軽減することができる。
【００１０】
また、本発明の一実施形態では、上記ＡＶ機器において、制御手段は、未使用周波数の中から放送電波と混信することのない電波の非混信周波数を抽出し、トランスミッタで再生信号を非混信周波数の電波に変換して送信する。
【００１１】
このようにすると、トランスミッタからの送信電波と放送局からの放送電波とが混信するのを確実に防止し、手持ちの一般的な受信機で両電波をそれぞれ受信して、該電波から記録媒体のＡＶ情報または放送局が放送したＡＶ情報を再生して出力し、手軽に楽しむことができる。
【００１２】
また、本発明の一実施形態では、上記ＡＶ機器において、制御手段は、トランスミッタで再生信号を変換して送信する電波の周波数を表示手段に表示する。
【００１３】
このようにすると、ユーザは手持ちの一般的な受信機で受信する電波の周波数を、表示手段に表示された周波数に即座に合わせて、該受信機でトランスミッタからの送信電波を容易に受信し、該電波から再生して出力した記録媒体のＡＶ情報をより手軽に楽しむことができる。
【００１４】
また、本発明の一実施形態では、上記ＡＶ機器において、制御手段は、未使用周波数を表示手段に表示して入力手段で選択可能にし、トランスミッタで再生信号を変換して送信する電波の周波数を、入力手段で選択された未使用周波数に変更する。
【００１５】
このようにすると、ユーザはトランスミッタからの送信電波の周波数を、覚え易い数字や好きな数字等の未使用周波数に自由に変更することができる。また、変更後にトランスミッタからの送信電波の周波数が放送局からの放送電波の周波数と重複するのを確実に防止することができる。
【００１６】
また、本発明の一実施形態では、上記ＡＶ機器において、制御手段は、未使用周波数のうち、放送電波と混信することのない電波の非混信周波数を他と異なる形態で表示手段に表示する。
【００１７】
このようにすると、ユーザはトランスミッタからの送信電波の周波数を、未使用周波数のうちの非混信周波数に容易に変更することができる。またこれにより、変更後にトランスミッタからの送信電波が放送局からの放送電波と混信するのを高確率で防止することが可能となる。
【００１８】
さらに、本発明の典型的な実施形態では、記録媒体に記録されたＡＶ（Audio-Visual）情報を読み込む読み込み手段と、読み込み手段で読み込んだ情報を処理して再生信号を生成する信号処理手段とを内蔵した据え置き型のＡＶ機器において、信号処理手段で生成した再生信号のうち音声信号を、ＦＭ（Frequency Modulation）電波に変換して一般的な家庭を取り囲む範囲内へ送信するトランスミッタと、放送局から送信される放送電波の周波数を地域毎に示す情報を記憶した記憶手段と、当該ＡＶ機器およびＦＭ電波を受信可能な受信機を使用する地域を示す情報を入力する入力手段と、前記各手段を制御する制御手段とを内蔵する。この構成において、制御手段は、入力手段で入力された前記情報と記憶手段に記憶された前記情報とに基づいて、当該ＡＶ機器および前記受信機を使用する地域で放送電波として使われていないＦＭ電波の未使用周波数を抽出し、さらに該未使用周波数の中から放送電波と混信することのないＦＭ電波の非混信周波数を抽出し、読み込み手段で記録媒体からＡＶ情報を読み込んで信号処理手段で生成した音声信号を、トランスミッタで非混信周波数のＦＭ電波に変換して送信しつつ該非混信周波数を表示手段に表示する。また、制御手段は、未使用周波数を非混信周波数が他より強調されるように表示手段に表示して入力手段で選択可能にし、トランスミッタで音声信号を変換して送信する電波の周波数を、入力手段で選択された未使用周波数に変更する。
【００１９】
このようにすると、トランスミッタが他の手段とともにＡＶ機器に内蔵されていて、ユーザがＡＶ機器および手持ちのＦＭ電波を受信可能な受信機を使用する地域を入力手段で入力して、記録媒体に記録されたＡＶ情報をＡＶ機器で再生することで、自動的に該ＡＶ情報に基づく音声信号がトランスミッタにより、放送局からの放送電波と重複せずかつ混信しない非混信周波数のＦＭ電波に変換されて送信されつつ、該周波数が表示手段に表示される。このため、ユーザは家庭内のどこでも好きな場所で、上記受信機により受信するＦＭ電波の周波数を表示手段に表示された周波数に即座に合わせて、トランスミッタからの送信電波を容易に受信し、該電波より記録媒体のＡＶ情報を再生して音声を出力することで、該音声を手軽に聴いて楽しむことができる。また、ユーザが従来のようにＡＶ機器とは別にトランスミッタを購入し、ＡＶ機器とトランスミッタとをケーブル等で接続し、トランスミッタの送信電波の周波数等を設定するといった煩雑な作業を行う必要がなく、ユーザの負担を大幅に軽減することができる。また、音声信号をＦＭ電波に変換して送信するトランスミッタは技術的に確立していて、製造し易いので、製造コストを低く抑えて、安価なＡＶ機器をユーザへ提供することができる。さらに、ユーザはトランスミッタからの送信電波の周波数を、覚え易い数字や好きな数字等の未使用周波数に自由に変更したり、他の非混信周波数に容易に変更したりすることができる。
【発明の効果】
【００２０】
本発明によれば、ＡＶ機器においてＡＶ機器および手持ちの一般的な受信機を使用する地域を入力して、記録媒体に記録されたＡＶ情報を再生することで、自動的に該ＡＶ情報が放送局からの放送電波と重複しない未使用周波数の電波にトランスミッタで変換されて送信されるため、家庭内のどこでも好きな場所で、手持ちの一般的な受信機によりトランスミッタからの送信電波を受信して、記録媒体のＡＶ情報を再生して出力することで、該ＡＶ情報を手軽に楽しむことができる。
【発明を実施するための最良の形態】
【００２１】
図１は、本発明の実施形態に係るＡＶ機器１０の使用環境の一例を示す図である。ＡＶ機器１０は、例えば据え置き型のＤＶＤ（Digital Versatile Disc）プレーヤ等から構成されている。ＡＶ機器１０は、例えばＤＶＤやＣＤ（Compact Disc）等の光ディスクまたはメモリカード等の記録媒体２０に記録された映像や音声といったＡＶ（Audio-Visual）情報を読み込んで再生する。表示機３０は、例えばＬＣＤ（Liquid Crystal Display）またはＣＲＴ（Cathode Ray Tube）等のディスプレイ３２とスピーカ３１等を備えた一般的な据え置き型のテレビ等から構成されている。ＡＶ機器１０と表示機３０は、家庭内のリビングルーム等の部屋に設置されていて、ケーブル等により接続されている。ＡＶ機器１０で再生された映像信号と音声信号は、表示機３０へ出力される。表示機３０は、ＡＶ機器１０からの映像信号に基づく映像をディスプレイ３２に表示し、ＡＶ機器１０からの音声信号に基づく音声をスピーカ３１から出力して、それぞれ視聴できるようにする。
【００２２】
受信機４０は、例えばスピーカ４１とアンテナ４２とチューナ４３等を備えた一般的な持ち運び可能なラジオ等から構成されている。受信機４０は、家庭内のＡＶ機器１０と表示機３０が設置された部屋から離れた場所に設置することができる。ＡＶ機器１０で再生された音声信号は、後述するようにＦＭ（Frequency Modulation）電波に変換されて、アンテナ１２から送信される。受信機４０は、放送局から放送された放送電波と、ＡＶ機器１０から送信されたＦＭ電波とをそれぞれ受信して、該電波を元の音声信号に変換し、該音声信号に基づく音声をスピーカ４１から出力して聴けるようにする。
【００２３】
図２は、ＡＶ機器１０の電気ブロック図である。制御部１は、ＣＰＵと、ＲＯＭおよびＲＡＭ等のメモリから構成されている。制御部１は、メモリに記憶されたプログラムと制御データに基づいて、ＡＶ機器１０の各部を制御する。記憶部２は、ＲＯＭ、ＲＡＭ、および不揮発性メモリ等から構成されている。記憶部２には、放送電波テーブルＴの情報が記憶されている。図３に示すように放送電波テーブルＴは、受信機４０で受信可能なラジオまたはテレビの放送局から送信されるＦＭ放送電波の周波数と、該周波数の一部に対応するテレビチャンネル番号とを地域毎に示している。地域コードは、各地域に割り当てられた識別情報である。
【００２４】
図２の表示部３は、ＶＦＤ（Vacuum  Fluorescent Display；蛍光表示管）等から構成されている。表示部３には、ＡＶ機器１０の動作状態や時間等が表示される。操作部４は、ＡＶ機器１０の前面に設けられた各種のキーやＬＥＤ（Light Emitting Diode）等から構成されている。リモコン受信部５は、リモコン６からの信号を受信する。リモコン６には、各種のキーが設けられている。リモコン６または操作部４のキーを操作することで、ＡＶ機器１０および受信機４０を使用する地域を示す地域コード等の各種の情報を、ＡＶ機器１０に入力することができる。制御部１は、入力された地域コードと、記憶部２に記憶された放送電波テーブルＴの該地域コードに対応する欄の情報とに基づいて、ＡＶ機器１０および受信機４０を使用する地域で放送局からの放送電波を送信するために使われていないＦＭ電波の未使用周波数を抽出する。また、制御部１は、該未使用周波数の中から放送電波と混信することのないＦＭ電波の非混信周波数を抽出する。
【００２５】
読み込み部７は、光ディスクドライブおよびカードリーダ等から構成されている。読み込み部７は、ＡＶ機器１０に装着された光ディスクまたはメモリカード等の記録媒体２０に記録されたＡＶ情報を読み込む。記録媒体２０のＡＶ情報はＭＰＥＧ（Moving Picture Experts Group）形式で圧縮されたデジタルデータである。信号処理部８は、ＭＰＥＧ回路、Ｄ／Ａ回路、およびＯＳＤ（On Screen Display）回路等から構成されている。信号処理部８は、読み込み部７で記録媒体２０から読み込んだＡＶ情報を処理して映像や音声の再生信号を生成する。詳しくは、信号処理部８は、読み込む部７で記録媒体２０から読み込んだＭＰＥＧ形式に圧縮されたデジタルのＡＶデータを、ＭＰＥＧ回路により復号した後、Ｄ／Ａ回路によりアナログの映像信号や音声信号に変換して、出力端子９からケーブル等を介して表示機３０へ出力する。また、信号処理部８は、制御部１から入力される画像データを、ＯＳＤ回路により表示機３０のディスプレイ３２にＯＳＤにて表示できるように処理して、出力端子９からケーブル等を介して表示機３０へ出力する。表示機３０は、信号処理部８から入力された映像信号に基づく映像をディスプレイ３２に表示し、音声信号に基づく音声をスピーカ３１から出力する。
【００２６】
トランスミッタ１１は、ＰＬＬ（Phase  Locked Loop）回路等から構成されている。トランスミッタ１１は、信号処理部８で生成された再生信号のうち音声信号を、ＦＭ電波に変換して、アンテナ１２から送信する。ＦＭ電波の周波数帯域は７０〜１０８ＭＨｚであって、このうち７０〜９０ＭＨｚ未満までがラジオ局から放送された音声電波に割り当てられていて、９０〜１０８ＭＨｚがテレビ局から放送された１〜３チャンネルの音声電波に割り当てられている。トランスミッタ１１が送信するＦＭ電波の周波数は、７０〜１０８ＭＨｚまでの間において０．１ＭＨｚ単位で変えることができる。制御部１は、上述したように抽出したＦＭ電波の非混信周波数のいずれかを、トランスミッタ１１が音声信号を変換して送信するデフォルトの送信電波周波数として設定する。トランスミッタ１１が送信するＦＭ電波の到達距離は、約１００ｍである。このため、トランスミッタ１１は、一般的な家庭を取り囲む範囲内へＦＭ電波を送信することができる。受信機４０は、家庭内のいずれの場所においても、トランスミッタ１１からの送信電波を受信して、該電波を元の音声信号に変換し、該音声信号に基づく音声をスピーカ４１から出力することができる。
【００２７】
図４〜図６は、ＡＶ機器１０が表示機３０のディスプレイ３２にＯＳＤ表示させる画面の一例を示す図である。ＡＶ機器１０において、読み込み部７と信号処理部８とで再生した記録媒体２０のＡＶ情報に基づく音声信号を、トランスミッタ１１でＦＭ電波に変換して送信する動作を、トランスミッタモードという。リモコン６等の所定のキーを操作することで、制御部１はＡＶ機器１０の各種設定を行う図示しないメニュー画面を表示機３０のディスプレイ３２にＯＳＤにて表示させる。そして、リモコン６等のキー操作により、メニュー画面中のトランスミッタモードを選択することで、制御部１は図４に示す画面Ｇ１をディスプレイ３２にＯＳＤにて表示させる。画面Ｇ１において、リモコン６等のキー操作により、カーソルＫを「ＯＮ」または「ＯＦＦ」に合わせて決定することで、制御部１はトランスミッタモードを作動または停止する。画面Ｇ１中の下方には、トランスミッタ１１で音声信号を変換して送信するＦＭ電波の周波数および該周波数に対応するテレビチャンネル番号（網掛け部分）と、該送信電波周波数を変更するための「変更」が表示されている。リモコン６等のキー操作により、カーソルＫを「変更」に合わせて決定することで、制御部１は図５に示す画面Ｇ２をディスプレイ３２にＯＳＤにて表示させる。
【００２８】
画面Ｇ２中には、制御部１が入力された地域コードと記憶部２の放送電波テーブルＴとに基づいて抽出したＦＭ電波の未使用周波数と、該周波数の一部に対応するテレビチャンネル番号とが表示されている。また、未使用周波数のうち、非混信周波数が他と異なる大きさの太字で他より強調されるように表示されている。さらに、現在設定されているデフォルトの送信電波周波数は他と異なるように網掛け表示されている。画面Ｇ２において、リモコン６等のキー操作により、カーソルＫをいずれかの未使用周波数に合わせて決定して、該周波数を選択することで、制御部１がトランスミッタ１１で音声信号を変換して送信する送信電波周波数を、その選択した周波数に変更する。このとき、非混信周波数は、他と異なる形態で強調表示されているので、選択され易くなっている。送信電波周波数の変更前は、制御部１がデフォルトの送信電波周波数として設定した非混信周波数のいずれかを、画面Ｇ１、Ｇ２中の網掛け部分に表示する。送信電波周波数の変更後は、制御部１が変更後の送信電波周波数として設定した未使用周波数を、画面Ｇ１、Ｇ２中の網掛け部分に表示する。
【００２９】
トランスミッタモードの作動中に、制御部１は再生した記録媒体２０のＡＶ情報に基づく音声信号をトランスミッタ１１でＦＭ電波に変換して送信しつつ、図６に示す画面Ｇ３をディスプレイ３２にＯＳＤにて表示させる。画面Ｇ３中には、トランスミッタモードが作動中（ＯＮ）であることと、トランスミッタ１１から送信しているＦＭ電波の周波数および該周波数に対応するテレビチャンネル番号とが表示されている。送信電波周波数の変更前は、画面Ｇ３中に送信電波周波数としてデフォルトの非混信周波数が表示され、該送信電波周波数の変更後は、画面Ｇ３中に送信電波周波数として変更した非混信周波数またはこれ以外の未使用周波数が表示される。
【００３０】
図７は、ＡＶ機器１０で未使用周波数を抽出する手順を示すフローチャートである。各処理は制御部１が実行する。ユーザがリモコン６等のキー操作により、ＡＶ機器１０と受信機４０を使用する地域の地域コードを入力すると（ステップＳ１：ＹＥＳ）、制御部１は、記憶部２の放送電波テーブルＴの該地域コードに対応する欄を参照して（ステップＳ２）、該地域で放送電波として使われていないＦＭ電波の未使用周波数を抽出して、該周波数とこれの一部に対応するテレビチャンネル番号とを記憶部２に記憶する（ステップＳ３）。次に、制御部１は未使用周波数のうち、放送局から送信される放送電波の周波数との差が所定ヘルツ以上あって、放送電波と混信することのないＦＭ電波の非混信周波数を抽出して、該周波数とこれの一部に対応するテレビチャンネル番号とを記憶部２に記憶する（ステップＳ４）。そして、制御部１は非混信周波数のいずれかを、トランスミッタ１１から送信するデフォルトの送信電波周波数として設定して、記憶部２に記憶する（ステップＳ５）。このとき、例えばテレビチャンネルと対応づけられた非混信周波数を、デフォルトの送信電波周波数として設定することで、該周波数をユーザに印象付けて容易に覚えさせることができる。
【００３１】
図８は、ＡＶ機器１０でトランスミッタ１１から送信するＦＭ電波の周波数を変更する手順を示すフローチャートである。各処理は制御部１が実行する。ユーザがリモコン６等のキー操作により、図４の画面Ｇ１中でカーソルＫを「変更」に合わせて決定して、送信電波周波数の変更を指示すると（ステップＳ１１：ＹＥＳ）、制御部１は、記憶部２に記憶された未使用周波数を示すとともに非混信周波数を強調表示した図５の画面Ｇ２を、表示機３０のディスプレイ３２に表示させる（ステップＳ１２）。そして、ユーザがリモコン６等のキー操作により、画面Ｇ２中でいずれかの未使用周波数を選択すると（ステップＳ１３：ＹＥＳ）、制御部１は、送信電波周波数を該選択された未使用周波数に変更して、記憶部２に記憶する（ステップＳ１４）。
【００３２】
図９は、ＡＶ機器１０のトランスミッタモード作動中の動作手順を示すフローチャートである。各処理は制御部１が実行する。ユーザがリモコン６等のキー操作により、図４の画面Ｇ１中でカーソルＫを「ＯＮ」に合わせて決定して、トランスミッタモードを作動させた（ステップＳ２１：ＹＥＳ）後、ユーザが例えば音楽情報を記録した自作ＣＤ等の記録媒体２０をＡＶ機器１０に装着して、リモコン６等のキー操作により記録媒体２０の再生を指示すると（ステップＳ２２：ＹＥＳ）、制御部１は記録媒体２０に記録されたＡＶ情報を読み込み部７で読み込んで、信号処理部８で処理して再生する（ステップＳ２３）。そして、制御部１は信号処理部８で生成した再生信号のうち音声信号を、図７のステップＳ５または図８のステップＳ１４で設定した周波数のＦＭ電波にトランスミッタ１１で変換して、アンテナ１２を介して送信し、かつトランスミッタモードが作動中であることと、トランスミッタ１１から送信中のＦＭ電波の周波数とを示す図６の画面Ｇ３を、表示機３０のディスプレイ３２に表示させる（ステップＳ２４）。その後、記録媒体２０の再生を停止すると（ステップＳ２５：ＹＥＳ）、制御部１は、トランスミッタ１１の駆動を停止して、ＦＭ電波の送信を止め、かつディスプレイ３２への画面Ｇ３の表示を消去する（ステップＳ２６）。
【００３３】
以上によると、トランスミッタ１１が他の各部とともにＡＶ機器１０に内蔵されていて、ユーザがＡＶ機器１０および手持ちの一般的な受信機４０を使用する地域の地域コードをリモコン６等で入力して、記録媒体２０に記録された音楽等のＡＶ情報をＡＶ機器１０で再生することで、自動的に該ＡＶ情報に基づく再生した音声信号がトランスミッタ１１により、放送局からの放送電波と重複していない未使用周波数のＦＭ電波に変換されて送信される。このため、ユーザはＡＶ機器１０および受信機４０を設置した場所から離れた台所や浴槽等といった家庭内のどこでも好きな場所で、受信機４０によりトランスミッタ１１からの送信電波を受信して、該電波から記録媒体２０の音楽等のＡＶ情報を再生してスピーカ４１から出力することで、該ＡＶ情報を聴いて手軽に楽しむことができる。
【００３４】
また、ユーザが従来のようにＡＶ機器１０とは別にトランスミッタを購入し、ＡＶ機器１０とトランスミッタとをケーブル等で接続し、トランスミッタの送信電波の周波数等を設定するといった煩雑な作業を行う必要がなく、ユーザの負担を大幅に軽減することができる。また、音声信号をＦＭ電波に変換して送信するトランスミッタ１１は技術的に確立していて、製造し易いので、製造コストを低く抑えて、安価なＡＶ機器１０をユーザへ提供することができる。
【００３５】
また、ＡＶ機器１０で再生した音声信号を、未使用周波数のうちの非混信周波数のＦＭ電波にトランスミッタ１１で変換して送信することで、トランスミッタ１１からの送信電波と放送局からの放送電波とが混信するのを確実に防止し、受信機４０により両電波をそれぞれ受信して、該電波から記録媒体２０のＡＶ情報または放送局が放送したＡＶ情報を再生して出力し、手軽に楽しむことができる。
【００３６】
また、ＡＶ機器１０で再生した音声信号をトランスミッタ１１で変換して送信するＦＭ電波の周波数を示す画面Ｇ１、Ｇ３を、表示機３０のディスプレイ３２に表示することで、ユーザは受信機４０で受信するＦＭ電波の周波数を、画面Ｇ１、Ｇ３中に示された周波数に即座に合わせて、トランスミッタ１１からの送信電波を容易に受信機４０で受信し、該電波から再生してスピーカ４１から出力した記録媒体２０の音楽等のＡＶ情報をより手軽に聴いて楽しむことができる。
【００３７】
また、ＡＶ機器１０で再生した音声信号をトランスミッタ１１で変換して送信するＦＭ電波の周波数を変更するための画面Ｇ１、Ｇ２を表示機３０のディスプレイ３２に表示することで、ユーザはトランスミッタ１１からの送信電波の周波数を、覚え易い数字や好きな数字等の未使用周波数に自由に変更することができる。また、変更後にトランスミッタ１１からの送信電波の周波数が放送局からの放送電波周波数と重複するのを確実に防止することができる。
【００３８】
さらに、画面Ｇ２中に未使用周波数を非混信周波数が他と異なる形態で他より強調されるように表示することで、ユーザはトランスミッタ１１からの送信電波の周波数を、未使用周波数のうちの非混信周波数に容易に変更することができる。またこれにより、トランスミッタ１１からの送信電波が放送局からの放送電波と混信するのを高確率で防止することが可能となる。
【００３９】
本発明は、以上の実施形態以外にも種々の形態を採用することができる。例えば、以上の実施形態では、読み込み部７で記録媒体２０からＡＶ情報を読み込んで信号処理部８で生成した音声信号を、トランスミッタ１１でＦＭ電波に変換して送信した例を挙げたが、本発明はこれのみに限定するものでは無い。これ以外に、例えばトランスミッタで音声信号をＦＭ電波以外の例えばＡＭ（Amplitude  Modulation）電波等に変換して送信するようにしてもよい。また、例えば図１０に示すように、読み込み部７で記録媒体２０からＡＶ情報を読み込んで信号処理部８で生成した映像信号と音声信号とを、トランスミッタ１１ａでより高い周波数のＶＨＦ（Very High Frequency）やＵＨＦ（Ultra High Frequency）の電波に変換して送信するようにしてもよい。この場合、受信機４０としてテレビを用いれば、家庭内のどこでも好きな場所でトランスミッタ１１ａからの送信電波を受信して、映像と音声を再生して出力し、視聴して楽しむことができる。
【００４０】
また、以上の実施形態では、トランスミッタモードのＯＮ・ＯＦＦ状態、トランスミッタ１１からの送信電波の周波数、および未使用周波数等を、ＡＶ機器１０と接続した表示機３０のディスプレイ３２に表示した例を挙げたが、本発明はこれのみに限定するものでは無い。これ以外に、例えばＡＶ機器１０に備わる表示部３に、上記のトランスミッタモードに関する情報を表示するようにしてもよい。この場合、未使用周波数については、リモコン６等のキーを操作する毎に１つずつ切り換えて順次表示するようにすると、表示部３が小さくても全て表示することができる。
【００４１】
さらに、以上の実施形態では、ＤＶＤやＣＤやメモリカード等の記録媒体２０に記録されたＡＶ情報を再生するＤＶＤプレーヤ等から成る据え置き型のＡＶ機器１０に、本発明を適用した例を挙げているが、本発明は、例えばＤＶＤ、ＣＤ、ブルーレイディスク（Blu-ray Disc；登録商標）、ハードディスク、またはメモリカード等の記録媒体に記録されたＡＶ情報を再生するＤＶＤレコーダ、ハードディスクレコーダ、ブルーレイディスクプレーヤ、これらの一体型機、またはこれらとテレビの一体型機等のような、据え置き型または携帯型のＡＶ機器にも適用することができる。なお、携帯型のＡＶ機器の場合、該ＡＶ機器で再生した音楽等を電波化して送信し、該電波を受信機で受信して、該受信機に接続されたより高品質のスピーカ等で再生することで、音楽等をより良い音質で聴いて楽しむことができる。また、以上の実施形態では、トランスミッタ１１からの送信電波を受信する受信機４０がラジオ等から成る例を挙げているが、これ以外に、例えばテレビ、チューナ、ステレオ、またはオーディオコンポ等から成る受信機を用いてもよい。
【図面の簡単な説明】
【００４２】
【図１】本発明の実施形態に係るＡＶ機器の使用環境の一例を示す図である。
【図２】同ＡＶ機器の電気ブロック図である。
【図３】同ＡＶ機器の記憶部に記憶された情報の一例を示す図である。
【図４】同ＡＶ機器が表示する画面の一例を示す図である。
【図５】同ＡＶ機器が表示する画面の一例を示す図である。
【図６】同ＡＶ機器が表示する画面の一例を示す図である。
【図７】同ＡＶ機器の未使用周波数の抽出手順を示すフローチャートである。
【図８】同ＡＶ機器の送信電波周波数の変更手順を示すフローチャートである。
【図９】同ＡＶ機器のトランスミッタモード作動中の動作手順を示すフローチャートである。
【図１０】他の実施形態を示す図である。
【符号の説明】
【００４３】
１  制御部
２  記憶部
４  操作部
６  リモコン
７  読み込み部
８  信号処理部
１０  ＡＶ機器
１１、１１ａ  トランスミッタ
２０  記録媒体
３０  表示機
４０  受信機
Ｔ  放送電波テーブル
【図１】
2008085670.tif 000003
【図２】
2008085670.tif 000004
【図３】
2008085670.tif 000005
【図４】
2008085670.tif 000006
【図５】
2008085670.tif 000007
【図６】
2008085670.tif 000008
【図７】
2008085670.tif 000009
【図８】
2008085670.tif 000010
【図９】
2008085670.tif 000011
【図１０】
2008085670.tif 000012